(57)【要約】【課題】ＡＣＣ検波期間をカラーバースト信号位相に同期した期間とし、カラーバースト信号位相の変化に影響されること無く安定したＡＣＣ検波を行うことができるＡＣＣ検波回路を提供することである。【解決手段】水平同期信号を基準として開始位相および終了位相を定めたバースト開始位相検出パルスｃを出力するバースト開始検波期間作成回路３と、バースト開始位相検出パルスｃの期間中にカラーバースト信号が所定のレベルを最初に越えるタイミングをカラーバースト開始位相パルスｄとして出力するバースト開始検出回路５と、カラーバースト開始位相パルスｄを基準として開始位相および終了位相を定めた第１のバーストゲートパルスｅを出力するバースト検波期間作成回路６と、第１のバーストゲートパルスｅの期間に入力するカラーバースト信号のＡＣＣ検波を行う手段（１１，１２）と、を備える。【選択図】  図１
2007208942.tif 000002
【特許請求の範囲】
【請求項１】
水平同期信号を基準として開始位相および終了位相を定めたバースト開始位相検出パルスを出力する手段と、
前記バースト開始位相検出パルスのパルス期間中にカラーバースト信号が所定のレベルを最初に越えるタイミングをカラーバースト開始位相パルスとして出力する手段と、
前記カラーバースト開始位相パルスを基準として開始位相および終了位相を定めた第１のバーストゲートパルスを出力する手段と、
前記第１のバーストゲートパルスで定めた期間に前記カラーバースト信号のＡＣＣ検波を行う手段と、
を具備したことを特徴とするＡＣＣ検波回路。
【請求項２】
水平同期信号を基準として開始位相および終了位相を定めた第２のバーストゲートパルスを出力する手段と、
前記第１のバーストゲートパルスと前記第２のバーストゲートパルスのいずれか一方のバーストゲートパルスを選択して出力する手段と、をさらに具備し、
前記ＡＣＣ検波を行う手段は、前記第１，第２のバーストゲートのうちの選択された一方のバーストゲートパルスで定めた期間に前記カラーバースト信号のＡＣＣ検波を行うことを特徴とする請求項１に記載のＡＣＣ検波回路。
【請求項３】
請求項１又は２に記載のＡＣＣ検波回路は、デジタル信号回路で構成され、前記第１のバーストゲートパルスの前記開始位相および終了位相間のパルス期間をカウントするクロックの周波数は、デジタルのカラーバースト信号のサンプリング周波数の逓倍とされることを特徴とする請求項１又は２に記載のＡＣＣ検波回路。
【請求項４】
前記第１のバーストゲートパルスの前記開始位相および終了位相間のパルス期間をカウントするクロックの周波数は、前記バースト開始位相検出パルスの前記開始位相および終了位相間のパルス期間をカウントするクロックの周波数よりも高いことを特徴とする請求項１に記載のＡＣＣ検波回路。
【請求項５】
前記ＡＣＣ検波を行う期間は、所定のカラーテレビジョン信号方式において予め定められたサイクル数のカラーバースト信号期間よりも少ないサイクル数の期間に設定されることを特徴とする請求項１乃至４のいずれか１つに記載のＡＣＣ検波回路。
【発明の詳細な説明】
【技術分野】
【０００１】
本発明は、カラーテレビジョン信号の搬送色信号の振幅制御に使用されるＡＣＣ検波回路に関するものである。
【背景技術】
【０００２】
従来、カラーテレビジョン信号の搬送色信号振幅を一定に保つオートカラーコントロール回路（ＡＣＣ回路と呼ぶ）におけるカラーバースト信号の振幅を検出する回路（以下、ＡＣＣ検波回路）において、そのカラーバースト信号の振幅を検出する期間（ＡＣＣ検波期間）は、水平同期信号を基準として作成されるバーストゲートパルスによって定めた期間とされ、その期間にカラーバースト信号をＡＣＣ検波レベル信号で検波することによりカラーバースト信号の振幅を検出している。つまり、従来のＡＣＣ検波期間は水平同期信号に同期して設定されている。
【０００３】
しかしながら、カラーバースト信号はチャンネル毎や機器・伝送系の変動により水平同期信号に対してさまざまな位相をとり得る。また、カラーバースト信号は、例えば、ＮＴＳＣの場合、色副搬送波の９周期分の信号幅を持ち、そのカラーバースト信号の両端部分即ち始まりと終わりの部分で、位相および振幅が歪んでいることもある。
【０００４】
これに対して、例えば特許文献１には、入力された信号のバースト振幅をバースト振幅算出回路において算出し、バースト前エッジ検出回路及びバースト後エッジ検出回路において、上記バースト振幅からカラーバースト信号の前エッジ及び後エッジを検出し、可変幅バーストゲートパルス（ＢＧＰ）生成回路においてその両エッジ間である可変幅のバーストゲートパルスを生成したり、或いは、入力された信号のバースト振幅をバースト振幅算出回路において算出し、バースト前エッジ検出回路において、上記バースト振幅からカラーバースト信号の前エッジを検出し、その前エッジパルスのエッジ位置を開始点として三角波を生成し、上記バースト振幅と上記三角波とを加算し、加算信号から振幅最大位置を検出することで、バースト中心の前後に所定の固定幅を持つバーストゲートパルスを生成することにより、色飽和度制御をするＡＣＣ回路が開示されている。
【０００５】
ところが、特許文献１では、アナログ信号回路で構成されるＡＣＣ回路において、検出されたバースト振幅からカラーバースト信号の立上がり時の前エッジを検出し、さらにカラーバースト信号の立下がり時の後エッジを検出し両エッジ間のバーストゲートパルスを得たり、或いは、バースト中心を検出しそのバースト中心の前後に所定幅のバーストゲートパルスを得る構成となっているので、そのバーストゲートパルスの両端によって定められた期間、即ちＡＣＣ検波期間は必ずしもカラーバースト信号位相に同期した期間とはならず、カラーバースト信号の位相変化に影響されて、安定したＡＣＣ検波を行うことができないという問題がある。
【特許文献１】特開２００４−１８６７６７号公報
【発明の開示】
【発明が解決しようとする課題】
【０００６】
本発明は、上記の問題に鑑み、ＡＣＣ検波期間をカラーバースト信号位相に同期した期間とし、カラーバースト信号位相の変化に影響されること無く安定したＡＣＣ検波を行うことができるＡＣＣ検波回路を提供することを目的とするものである。
【課題を解決するための手段】
【０００７】
本願発明の一態様によれば、水平同期信号を基準として開始位相および終了位相を定めたバースト開始位相検出パルスを出力する手段と、前記バースト開始位相検出パルスのパルス期間中にカラーバースト信号が所定のレベルを最初に越えるタイミングをカラーバースト開始位相パルスとして出力する手段と、前記カラーバースト開始位相パルスを基準として開始位相および終了位相を定めた第１のバーストゲートパルスを出力する手段と、前記第１のバーストゲートパルスで定めた期間に前記カラーバースト信号のＡＣＣ検波を行う手段と、を具備したＡＣＣ検波回路が提供される。
【発明の効果】
【０００８】
本発明によれば、ＡＣＣ検波期間をカラーバースト信号位相に同期した期間とすることで、カラーバースト信号位相の変化に影響されること無く安定したＡＣＣ検波を行える。
【発明を実施するための最良の形態】
【０００９】
発明の実施の形態について図面を参照して説明する。  
図１乃至図５を参照して本発明の実施形態を説明する前に、図６及び図７を参照して本発明のＡＣＣ検波回路が用いられるカラーテレビジョン受像機の帯域増幅回路及び複合カラー映像信号の信号成分について説明する。
【００１０】
図６は、帯域増幅回路の構成を示すブロック図である。図６において、帯域増幅回路２０は、第１帯域増幅回路２２、色の濃さ調節回路２３、第２帯域増幅回路２４、ＡＣＣ検波回路２５及びカラーキラー回路２６で構成されている。入力端子２１は、図示しない第１映像増幅回路から複合カラー映像信号が供給されており、入力端子２１は、第１帯域増幅回路２２に接続されている。第１帯域増幅回路２２は、色の濃さ調節回路２３、バースト信号増幅回路２７、及びＡＣＣ検波回路２５に接続されている。バースト信号増幅回路２７は、ＡＣＣ検波回路２５、カラーキラー回路２６及び３．５８MHz信号発生回路２８と接続されている。色の濃さ調節回路２３は、第２帯域増幅回路２４と接続されており、カラーキラー回路２６は、バースト信号増幅回路２７、３．５８MHz 信号発生回路２８及び第２帯域増幅回路２４と接続されている。また、３．５８MHz 信号発生回路２８は、バースト信号増幅回路２７と接続されており、バースト信号に基づいて基準副搬送波（３．５８MHz)を生成し、次段の図示しない色復調回路へ基準副搬送波（３．５８MHz)を送出している。さらに、第２帯域増幅回路２４は、搬送色信号を次段の図示しない色復調回路へ送出している。
【００１１】
そして、前記帯域増幅回路２０中のＡＣＣ検波回路２５は、放送局から送信されるバースト信号の振幅が常に一定であることを利用して、バースト信号増幅回路２７よりのカラーバースト信号の振幅を検出することで、受信チャンネルを切り換えたり、受信電波の変動やアンテナ系の不整合が発生する等による、本来起こって欲しくない搬送色信号の振幅の変動を検知し、第１帯域増幅回路２２の利得を変化させることで、テレビジョン受像機の画面の色の濃さが、常に一定となるよう制御を行っている。
【００１２】
図７は、複合カラー映像信号３１を信号成分に分解した図であり、複合カラー映像信号３１を分解して得られる、水平同期信号３２、映像（輝度）信号３３、カラーバースト信号３４、カラーバースト信号及び搬送色信号を含むクロミナンス信号（以下、クロマ信号という）３５を表わしている。
【００１３】
［第１の実施形態］
図１は本発明の第１の実施形態のＡＣＣ検波回路のブロック図を示している。図１の各部の信号ａ〜ｅはそれぞれ図２の(ａ)〜(ｅ)の信号に対応している。図１の信号ｆは図３の(ｆ)の信号に対応している。
【００１４】
図１に示すＡＣＣ検波回路は、水平及び垂直の同期信号を含む複合映像信号が入力する入力端子１と、前記複合映像信号から水平同期信号を分離する同期分離回路２と、水平同期信号を基準としてカラーバースト信号期間を示すためにそのカラーバースト信号期間より若干大きい期間の開始位相および終了位相を定めたバースト開始位相検出パルスｃを出力するバースト開始検波期間作成回路３と、バースト開始検出レベル信号ｇが入力する入力端子４と、前記バースト開始位相検出パルスｃのパルス期間中にカラーバースト信号が所定のレベルを最初に越えるタイミングを示すカラーバースト開始位相パルスｄを出力するバースト開始検出回路５と、前記カラーバースト開始位相パルスｄを基準として開始位相および終了位相を定めた第１のバーストゲートパルスｅを出力するバースト検波期間作成回路６と、カラーバースト信号及び搬送色信号を含むクロマ信号ｂが入力する入力端子７と、制御信号にて増幅率（ゲイン）が制御可能であって、前記クロマ信号ｂを入力して増幅するＡＣＣアンプ回路８と、増幅したクロマ信号を全波整流してクロマ整流信号ｆを出力する全波整流回路９と、ＡＣＣ検波レベル信号ｈが入力する入力端子１０と、前記第１のバーストゲートパルスｅで定めた期間にＡＣＣ検波レベル信号ｈを用いて前記クロマ整流信号ｆのカラーバースト信号部分のレベル検波を行い、ＡＣＣ検波出力を得る、比較回路１１とサンプル／ホールド回路１２で構成される検波手段と、を備えている。
【００１５】
同期分離回路２は、入力端子１から入力された複合映像信号（同期信号を含む）から水平同期信号（Ｈsync）ａを分離して抜き出す。  
バースト開始検波期間作成回路３は、水平同期信号ａを基準とし、カラーバースト信号期間を含みそれより若干大きい期間の開始位相及び終了位相を定めるバースト開始位相検出パルスｃを作成する。  
入力端子７から入力されたクロマ信号ｂはＡＣＣアンプ回路８により振幅制御され、次に全波整流回路９により一方の極性に整流を行ったクロマ整流信号ｆとなり出力される。クロマ整流信号ｆのバースト信号部分については、図３［Ａ］，［Ｂ］の(ｆ)を参照のこと。
【００１６】
バースト開始検出回路５には、バースト開始位相検出パルスｃとクロマ整流信号ｆが入力されると共に、カラーバースト信号の開始位相の検出レベルを定めるバースト開始検出レベル信号ｇが入力されており、バースト開始検出回路５は、バースト開始位相検出パルスｃにより定められた期間にクロマ整流信号ｆがバースト開始検出レベル信号ｇのレベルを最初に越えるタイミングを検出し、その検出タイミングを伝えるカラーバースト開始位相パルスｄを出力する。
【００１７】
バースト検波期間作成回路６は、カラーバースト開始位相パルスｄを基準とし、カラーバースト信号の振幅を検出する期間（即ちＡＣＣ検波期間）を定める第１のバーストゲートパルスｅを作成し出力する。すなわち、バースト検波期間作成回路６は、カラーバースト開始位相パルスｄを基準とし、カラーバースト信号期間のうちの安定した所定期間の開始位相及び終了位相を定める第１のバーストゲートパルスｅを出力する。従って、第１のバーストゲートパルスｅは、カラーバースト信号位相に精確に同期したＡＣＣ検波を与えるものとなる。
【００１８】
比較回路１１には、クロマ整流信号ｆと第１のバーストゲートパルスｅが入力されると共に、入力端子１０からのＡＣＣ検波レベルを定めるＡＣＣ検波レベル信号ｈが入力されている。  
比較回路１１及びサンプル／ホールド回路１２の検波手段は、第１のバーストゲートパルスｅによって定められた期間に、クロマ整流信号ｆのバースト信号部分とＡＣＣ検波レベル信号ｈのレベル検波を行い、クロマ整流信号ｆのバースト信号部分がＡＣＣ検波レベル信号ｈよりも大きい部分の面積Ｓ1と小さい部分の面積Ｓ2の算出を行い、この面積Ｓ1とＳ2の面積比率をサンプル／ホールド回路１２で保持してＡＣＣ検波信号として出力する。
【００１９】
ＡＣＣ検波信号は、ＡＣＣアンプ制御信号としてＡＣＣアンプ回路８に入力され、ＡＣＣアンプ回路８ではその増幅率（ゲイン）の制御が行われ、前記面積の比率が一定となるようにフィードバック制御される。
【００２０】
図２は図１の各部の信号のタイミングチャートを示している。図２の(ａ)〜(ｅ)はそれぞれ図１の各部の信号ａ〜ｅに対応している。  
図２(ａ)は同期分離回路で複合映像信号から分離された水平同期信号Ｈsync、図２(ｂ)はカラーバースト信号及び搬送色信号を含むクロマ信号であり、図７で説明したものと同様である。図２(ｃ)はバースト開始検波期間作成回路３で水平同期信号Ｈsyncを基準に図示しないカウンタにてクロックを時間ｔ1に相当する数だけカウントして立上りタイミング即ち開始位相を定め更にクロックを時間ｔ2に相当する数だけカウントして立下りタイミング即ち終了位相を定めたバースト開始位相検出パルスであり、(ｂ)に示したクロマ信号のカラーバースト信号ＣＢのパルス期間を全て含みそれより若干大きい期間のパルス幅を有している。  
図２(ｄ)はバースト開始検出回路５でバースト開始検出レベル信号ｇのレベルを用いて生成されるカラーバースト信号の立上り（開始位相）を示すカラーバースト開始位相パルスである。
【００２１】
図２(ｅ)はバースト検波期間作成回路６で(ｄ)のカラーバースト開始位相パルスの立上りを基準にカウンタにてクロックを時間ｔ3に相当する数だけカウントして開始位相を定め更にクロックを時間ｔ4に相当する数だけカウントして終了位相を定めた第１のバーストゲートパルスであり、(ｂ)に示したクロマ信号のカラーバースト信号ＣＢのパルス期間内におけるバースト信号が安定した期間（ＡＣＣ検波期間）を示すパルスである。
なお、第１のバーストゲートパルスｅの開始位相および終了位相間のパルス期間を定めるのに使用するカウント用クロックの周波数は、高い精度でＡＣＣ検波期間を計測（カウント）することが必要であるために、バースト開始位相検出パルスｃの開始位相および終了位相間のパルス期間を定めるのに使用するカウント用クロックの周波数よりも高いことが好ましい。第１のバーストゲートパルスｅのパルス期間を定めるのに使用するカウント用クロックの周波数は例えば１０８ＭＨｚであり、バースト開始位相検出パルスｃのパルス期間を定めるのに使用するカウント用クロックの周波数は例えば２７ＭＨｚ（＝第１のバーストゲートパルスｅの場合の１／４）の周波数であってもよい。このように、バースト開始位相検出パルスｃのパルス期間を定めるのに使用するクロック周波数が低くてもよい理由は、バースト開始位相検出パルスｃのパルス期間は、カラーバースト信号期間を含みこれより大きな期間に設定されればよいので、第１のバーストゲートパルスｅのパルス期間を定めるのに要求される高い計測（カウント）精度を必要としないためである。
【００２２】
図３[Ａ]および[Ｂ]は、上記の構成によるＡＣＣ検波動作を説明するものであり、図２のタイミングチャートの(ｂ)に示したクロマ信号を全波整流回路９にて整流して得られたクロマ整流信号における、バースト信号期間の部分を抜き出し拡大した波形を示している。図３[Ａ]に対して図３[Ｂ]はカラーバースト信号の位相が変化し遅れた状態を示している。図３[Ａ]および[Ｂ]における(ａ)，(ｆ)，(ｃ)，(ｄ)，(ｅ)はそれぞれ図１の各部の信号ａ，ｆ，ｃ，ｄ，ｅに対応している。
【００２３】
図３[Ａ]および[Ｂ]において、バースト開始位相検出パルスｃは、水平同期信号ａの立上りのタイミングから図示しないカウンタでクロックを所定数カウントし時間ｔ1を経過した時に開始位相と定められ、更に時間ｔ2を経過した時に終了位相と定められている。  
バースト開始位相検出パルスｃのパルス幅に相当する時間ｔ2は、カラーバースト信号の期間を含みそれより大きい所定の時間幅に設定されている。
【００２４】
図３(ｆ)はクロマ信号を整流して得られたクロマ整流信号のカラーバースト信号部分を拡大して示している。  
カラーバースト開始位相パルスｄは(ｆ)のクロマ整流信号のバースト信号部分が所定レベル即ちバースト開始検出レベルを最初に越えたことを検出したときに出力されるパルスである。このカラーバースト開始位相パルスｄはカラーバースト信号の立上りタイミング即ち開始位相が図３［Ａ］の(ｆ)から図３［Ｂ］の(ｆ)に変化した場合でもその立上り（開始位相）がバースト開始検出レベルによって検出され、その検出タイミングからクロックをカウントすることによって時間ｔ3後に第１のバーストゲートパルスｅが立ち上がり更にクロックをカウントして時間ｔ4経過後に第１のバーストゲートパルスｅが立ち下がることによってＡＣＣ検波期間が規定されることになる。
【００２５】
そして、この第１のバーストゲートパルスの期間に、比較回路１１及びサンプル／ホールド回路１２においてクロマ整流信号のバースト信号部分がＡＣＣ検波レベルより大きい部分と小さい部分の面積比較が行われ、その比較結果を示すＡＣＣ検波信号が制御信号としてＡＣＣアンプ回路８に供給されてそのゲイン制御がなされる結果、面積Ｓ1，Ｓ2の比率が一定になるようにフィードバック制御が行われる。
【００２６】
従って、ＡＣＣ検波レベルを高いレベルに設定（ただし、ＡＣＣ検波レベルはバースト開始検出レベルよりも高く設定することが必要）すれば、これと比較されるバースト信号即ちクロマ信号の振幅も高いレベルとなるようにＡＣＣアンプ回路８のゲインがＡＣＣ検波信号によって制御される。また、ＡＣＣ検波レベルを低いレベルに設定すれば、バースト信号即ちクロマ信号の振幅も低いレベルとなるようにＡＣＣアンプ回路８のゲインがＡＣＣ検波信号によって制御されることになる。なお、ＡＣＣ検波回路が搭載される機器例えばカラーテレビジョン受像機では受像機ごとにクロマ信号の入力振幅が違っていたり或いは後段の回路のゲインが不足していたりするので、ＡＣＣ検波レベルは工場段階で受像機ごとに調整される。なお、ＡＣＣ検波レベルはバースト開始検出レベルと同じ値に設定してもよい。
【００２７】
なお、本発明のＡＣＣ検波回路をデジタル回路で構成した場合には、ＡＣＣ検波回路にはデジタルで１サンプリングクロックごとに信号データが入力してくる。従って、第１のバーストゲートパルスｅの開始位相と終了位相間のパルス期間を定めるのに使用するカウント用クロックの周波数を、デジタルのカラーバースト信号のサンプリング周波数の逓倍（正の整数倍）とすることが好ましい。すなわち、第１のバーストゲートパルスｅのパルス期間を定めるのに使用するカウント用クロックの周波数を、デジタルのカラーバースト信号のサンプリング周波数の逓倍とすることによって、ＡＣＣ検波期間を決める第１のバーストゲートパルスｅの開始位相（図３［Ａ］及び［Ｂ］で全波整流パルスとＡＣＣ検波レベルとの交点Ｐ1）及び終了位相（図３［Ａ］及び［Ｂ］で全波整流パルスとＡＣＣ検波レベルとの交点Ｐ2）を、バースト位相変化があっても、常にカラーバースト信号の立上りを示すカラーバースト開始位相パルスｄを基準として精確に定めることが可能となる。
【００２８】
以上の構成により、カラーバースト信号ＣＢに位相的な変化があっても、カラーバースト信号位相とバーストゲートパルス位相は、バースト位相が変化する前と後のそれぞれの場合において一致する。すなわち、バーストゲートパルスｅは常にカラーバースト信号ＣＢに同期した位相となり、カラーバースト信号位相の変化に影響されることなくＡＣＣ検波を行うことができる。
【００２９】
さらに、ＡＣＣ検波回路をデジタル信号処理にて行う場合、カラーバースト開始位相パルスｄ即ちカラーバースト信号の立上りからカウンタにてクロックを精確に所定数カウントした時点から第１のバーストゲートパルスが立ち上がり（開始し）かつ第１のバーストゲートパルスがカラーバースト信号の期間の終了前に立ち下がる（終了する）ようにクロックを精確に所定数カウントしているので、バースト信号の始まりと終わり部分を除いた安定した期間にＡＣＣ検波を行うことが可能となる。
【００３０】
［第２の実施形態］
図４は本発明の第２の実施形態のＡＣＣ検波回路のブロック図を示している。図１と同一部分には同一符号を付して説明する。  
本第２の実施形態は、第１の実施形態にバースト検波期間作成回路１３と切替え回路１４を追加した構成となっている。すなわち、バースト検波期間作成回路６からの第１のバーストゲートパルスｅとバースト検波期間作成回路１３からの第２のバーストゲートパルスｉを切替え回路１４に入力し、第１，第２のバーストゲートパルスのいずれか一方のバーストゲートパルスに切り替えて、比較回路１１へ出力できるように構成している。その他の構成は、図１の実施形態と同様である。
【００３１】
バースト検波期間作成回路１３は、同期分離回路２により抜き出された水平同期信号ａを基準としてカラーバースト信号の振幅を検出する期間（即ちＡＣＣ検波期間）を定める第２のバーストゲートパルスｉを作成し出力する。つまり、第２のバーストゲートパルスは水平同期信号に同期したタイミングで出力される。  
切替え回路１４は、第２のバーストゲートパルスｉおよび第１の実施形態で示した第１のバーストゲートパルスｅのいずれか一方を選択しバーストゲートパルスｊとして出力する。  
バーストゲートパルスｊをＡＣＣ検波期間として第１の実施形態と同様に比較回路１１によってＡＣＣ検波レベル信号ｈを用いてＡＣＣ検波が行われる。
【００３２】
切替え回路１４の切り替えは、入力端子７に入力されるクロマ信号ｂの状態により制御される。すなわち、入力されているクロマ信号ｂの状態が正常に場合は、カラーバースト信号の位相に同期した（前述のカラーバースト開始位相パルスｄを基準として作成される）第１のバーストゲートパルスｅを出力するように切り替えが行われ、入力されているクロマ信号にノイズが多い場合やカラーバースト信号が無い場合、またはカラーバースト信号の信号レベルが非常に小さい場合などの理由により、バースト開始検出回路５によるカラーバースト開始位相パルスｄが正確に検出できないときは、水平同期信号（Ｈsync）ａを基準として作成される第２のバーストゲートパルスｉを出力するように切り替えが行われる。
【００３３】
図５［Ａ］及び［Ｂ］は図４で追加したバースト検波期間作成回路１３から出力される第２のバーストゲートパルスの生成を、クロマ整流信号との関係において説明するタイミングチャートである。すなわち、図５[Ａ]及び[Ｂ]は、図４の入力端子７に入力されているクロマ信号にノイズが多い場合やカラーバースト信号が無かったり非常に小さい場合などにおいて、切替え回路１４がバースト検波期間作成回路１３の出力を選択したときの動作を説明するタイミングチャートを示している。図５[Ｂ]は図５[Ａ]に対してカラーバースト信号の位相が変化し遅れた状態を示している。
【００３４】
図５[Ａ]で、(ａ)は複合映像信号から同期分離された水平同期信号Ｈsync、(ｆ)はクロマ信号を整流して得られたクロマ整流信号のカラーバースト信号部分を拡大して示している。(ｉ)は バースト検波期間作成回路１３で作成される第２のバーストゲートパルスを示しており、(ａ)の水平同期信号Ｈsyncを基準にして（水平同期信号ａの立上りのタイミングから）図示しないカウンタでクロックを所定数カウントし時間ｔ5を経過した時に開始位相と定められ、更に時間ｔ6を経過した時に終了位相と定められる。このとき使用するカウントクロックの周波数は、例えば２７ＭＨｚである。
しかしながら、図５[Ｂ]のように、図５[Ａ]の状態からクロマ信号のカラーバースト信号位相が変化した場合、第２のバーストゲートパルスｉは水平同期信号に同期しているがクロマ信号のカラーバースト信号には同期していないので、比較回路１１及びサンプル／ホールド回路１２によるクロマ整流信号のバースト信号部分がＡＣＣ検波レベルより大きい面積Ｓ1と小さい面積Ｓ2の比較を行うと、バースト位相の変化の前［Ａ］と後［Ｂ］とで、ＡＣＣ検波レベルよりも大きい部分の面積Ｓ1と小さい部分の面積Ｓ2が異なってくる。従って、バースト位相変化の影響を受け易いＡＣＣ検波となる。
【００３５】
このように、入力されているクロマ信号にノイズが多い場合やカラーバースト信号が無かったり非常に小さかったりする場合においては、カラーバースト信号を基準にした第１のバーストゲートパルスを使用できないために、バースト検波期間作成回路１３に切り替えると、バースト位相変化の影響を受け易い欠点はあるが、水平同期信号を基準として作成できる第２のバーストゲートパルスをＡＣＣ検波期間としてＡＣＣ検波を行うことができる。従って、カラーテレビジョン受像機に第２の実施形態のＡＣＣ検波回路を搭載すれば受像機の機能性を広げることが可能となる。  
なお、以上述べた実施形態では、カラーバースト振幅のレベルを検出する手段として、サンプル／ホールドの面積比較になっているが、ピーク検波で行ってもよい。
【図面の簡単な説明】
【００３６】
【図１】本発明の第１の実施形態のＡＣＣ検波回路のブロック図。
【図２】図１の各部の信号のタイミングチャート。
【図３】ＡＣＣ検波動作を説明するタイミングチャート。
【図４】本発明の第２の実施形態のＡＣＣ検波回路のブロック図。
【図５】図４で設けたバースト検波期間作成回路から出力される第２のバーストゲートパルスの生成を、クロマ信号との関係において説明するタイミングチャート。
【図６】帯域増幅回路の構成を示すブロック図。
【図７】複合カラー映像信号を信号成分に分解した図。
【符号の説明】
【００３７】
１…複合映像信号の入力端子
２…同期分離回路
３…バースト開始検波期間作成回路
４…バースト開始検出レベル信号の入力端子
５…バースト開始検出回路
６，１３…バースト検波期間作成回路
７…クロマ信号の入力端子
１１…比較回路
１２…サンプル／ホールド回路
【図１】
2007208942.tif 000003
【図２】
2007208942.tif 000004
【図３】
2007208942.tif 000005
【図４】
2007208942.tif 000006
【図５】
2007208942.tif 000007
【図６】
2007208942.tif 000008
【図７】
2007208942.tif 000009